(57)【特許請求の範囲】
【請求項１】
天井や壁に取り付けられる装着部と、この装着部に着脱可能に装着され平板状の発光パネルを有する光源部と、を備えた照明装置において、
前記装着部は、前記光源部が装着される装着面の一端部に設けられた被係合部と、前記装着面の前記一端部に対峙する他端部に設けられた被保持部と、を有し、
前記光源部は、前記発光パネルを覆うパッケージと、前記パッケージの前記装着部側に該装着部に向けて突設された係合部及び保持部と、を有し、
前記係合部は前記被係合部と係合し、前記保持部は前記被保持部と係合し、
前記係合部及び保持部は、前記パッケージとの接合面積を大きくするように互いに対向する面が前記光源部の中心方向に向かって傾斜する斜面として構成されていることを特徴とする照明装置。
【請求項２】
前記光源部は、前記係合部を前記被係合部に係合させた状態で前記装着部に対して回動自在であり、
前記被係合部は、前記装着面の一端部に前記被保持部方向にスライド自在に設けられ、
前記被保持部は、前記被係合部方向に伸びる保持爪を有し、
前記保持部は、前記被保持部の保持爪と係合する保持爪を有し、
これらの保持爪は、互いの係合に関わる係合面と、前記係合面とは反対側の非係合面と、をそれぞれ有し、
前記被係合部及び被保持部を通る側断面において、前記被保持部の保持爪は前記非係合面の該保持爪先端が基端よりも前記装着部側に位置するように形成されている、又は前記保持部の保持爪は前記非係合面の該保持爪先端が基端よりも前記光源部側に位置するように形成されていることを特徴とする請求項１に記載の照明装置。
【請求項３】
前記光源部は、前記係合部を前記被係合部に係合させた状態で前記装着部に対して回動自在であり、
前記被係合部は、前記装着面の一端部に前記被保持部方向にスライド自在に設けられ、
前記被保持部は、前記被係合部方向に伸びる保持爪を有し、
前記保持部は、前記被保持部の保持爪と係合する保持爪を有し、
これらの保持爪は、互いの係合に関わる係合面をそれぞれ有し、
前記被係合部及び被保持部を通る側断面において、前記被保持部の保持爪は前記係合面の該保持爪先端が基端よりも前記光源部側に位置するように形成されている、又は前記保持部の保持爪は前記係合面の該保持爪先端が基端よりも前記装着部側に位置するように形成されていることを特徴とする請求項１に記載の照明装置。
【請求項４】
前記被係合部は、前記被保持部方向に伸びる係合爪を有し、
前記係合部は、前記被係合部の係合爪と係合する係合爪を有し、
これらの係合爪は、互いの係合に関わる係合面をそれぞれ有し、
前記被係合部及び被保持部を通る側断面において、前記被係合部の係合爪は前記係合面の該係合爪先端が基端よりも前記光源部側に位置するように形成されている、又は前記係合部の係合爪は前記係合面の該係合爪先端が基端よりも前記装着部側に位置するように形成されていることを特徴とする請求項１乃至請求項３のいずれか一項に記載の照明装置。
【請求項５】
前記パッケージは、前記係合部近傍の装着部側の端部が斜めに面取りされた面取り面を有し、該面取り面を前記装着部の装着面に当接させた状態で前記被係合部及び係合部を近接させたときに該被係合部及び係合部が互いに係合する位置に配置されるように構成されていることを特徴とする請求項１乃至請求項４のいずれか一項に記載の照明装置。
【請求項６】
前記面取り面は、前記係合部の係合爪の非係合面と平行になっていることを特徴とする請求項５に記載の照明装置。
【請求項７】
前記被係合部は、前記装着部に対して傾斜することができるように遊びを持って設けられていることを特徴とする請求項１乃至請求項６のいずれか一項に記載の照明装置。
【請求項８】
前記被係合部は、その外面の前記被保持部側かつ光源部側に凸部を有し、該凸部が前記被係合部が前記装着部から脱落しないように前記装着部に設けられた段差に係合していることを特徴とする請求項１乃至請求項７のいずれか一項に記載の照明装置。
【発明の詳細な説明】
【技術分野】
【０００１】
本発明は、有機ＥＬ素子等の固体発光素子を光源として用いた照明装置に関する。
【背景技術】
【０００２】
有機ＥＬ素子は、低電圧で高輝度の発光が可能であり、有機化合物の種類によって様々な発光色が得られ、また、平面状の発光パネルとしての製造が容易である。そのため、近年、照明装置の発光源に用いることが注目されている。
【０００３】
有機ＥＬ素子の発光パネルを用いた照明装置において、発光パネルが寿命に達した場合、又は、他のサイズ、種類の発光パネルを使用する場合、発光パネルの交換が必要になる。従って、有機ＥＬ素子を光源とする発光パネルを用いた照明装置においては、発光パネルの交換を容易に行えるように構成されていることが望ましい。例えば、下記特許文献１には、有機ＥＬ素子を用いる発光パネルを発光源として用いたＥＬ照明装置が開示されている。
【０００４】
この種の照明装置は、例えば、図１７に示すように、天井や壁に取り付けられる装着部１００と、装着部１００に着脱可能に装着され平板状の有機ＥＬ素子を有する光源部２００と、を備える。光源部２００は、自身に設けられた係合部２１０及び保持部２２０をそれぞれ装着部１００に設けられた被係合部１１０及び被保持部１２０に係合させることで装着部１００に装着される。
【先行技術文献】
【特許文献】
【０００５】
【特許文献１】特開２００９−１２９７６６号公報
【発明の概要】
【発明が解決しようとする課題】
【０００６】
しかしながら、上述したような照明装置では、係合部材と装着部１００や光源部２００との接合面積が小さいので、係合部材の強度が低く、大きな力がかかった場合等に係合部材が破損し易い。また、強度を高めようと係合部材を大きくして装着部１００や光源部２００との接合面積を増大させると、照明装置の他の部材と干渉して装置全厚が大きくなる虞がある。
【０００７】
本発明は、上記課題を解決するものであって、光源部が着脱可能とされる照明装置において、係合部材の強度を高めつつ、係合部材と他の部材との干渉を抑制して装置全厚を薄くすることができる照明装置を提供することを目的とする。
【課題を解決するための手段】
【０００８】
本発明の照明装置は、天井や壁に取り付けられる装着部と、この装着部に着脱可能に装着され平板状の発光パネルを有する光源部と、を備え、前記装着部は、前記光源部が装着される装着面の一端部に設けられた被係合部と、前記装着面の前記一端部に対峙する他端部に設けられた被保持部と、を有し、前記光源部は、前記発光パネルを覆うパッケージと、前記パッケージの前記装着部側に該装着部に向けて突設された係合部及び保持部と、を有し、前記係合部は前記被係合部と係合し、前記保持部は前記被保持部と係合し、前記係合部及び保持部は、前記パッケージとの接合面積を大きくするように互いに対向する面が前記光源部の中心方向に向かって傾斜する斜面として構成されていることを特徴とする。
【０００９】
前記光源部は、前記係合部を前記被係合部に係合させた状態で前記装着部に対して回動自在であり、前記被係合部は、前記装着面の一端部に前記被保持部方向にスライド自在に設けられ、前記被保持部は、前記被係合部方向に伸びる保持爪を有し、前記保持部は、前記被保持部の保持爪と係合する保持爪を有し、これらの保持爪は、互いの係合に関わる係合面と、前記係合面とは反対側の非係合面と、をそれぞれ有し、前記被係合部及び被保持部を通る側断面において、前記被保持部の保持爪は前記非係合面の該保持爪先端が基端よりも前記装着部側に位置するように形成されている、又は前記保持部の保持爪は前記非係合面の該保持爪先端が基端よりも前記光源部側に位置するように形成されていることが好ましい。
【００１０】
前記光源部は、前記係合部を前記被係合部に係合させた状態で前記装着部に対して回動自在であり、前記被係合部は、前記装着面の一端部に前記被保持部方向にスライド自在に設けられ、前記被保持部は、前記被係合部方向に伸びる保持爪を有し、前記保持部は、前記被保持部の保持爪と係合する保持爪を有し、これらの保持爪は、互いの係合に関わる係合面をそれぞれ有し、前記被係合部及び被保持部を通る側断面において、前記被保持部の保持爪は前記係合面の該保持爪先端が基端よりも前記光源部側に位置するように形成されている、又は前記保持部の保持爪は前記係合面の該保持爪先端が基端よりも前記装着部側に位置するように形成されていることが好ましい。
【００１１】
前記被係合部は、前記被保持部方向に伸びる係合爪を有し、前記係合部は、前記被係合部の係合爪と係合する係合爪を有し、これらの係合爪は、互いの係合に関わる係合面をそれぞれ有し、前記被係合部及び被保持部を通る側断面において、前記被係合部の係合爪は前記係合面の該係合爪先端が基端よりも前記光源部側に位置するように形成されている、又は前記係合部の係合爪は前記係合面の該係合爪先端が基端よりも前記装着部側に位置するように形成されていることが好ましい。
【００１２】
前記パッケージは、前記係合部近傍の装着部側の端部が斜めに面取りされた面取り面を有し、該面取り面を前記装着部の装着面に当接させた状態で前記被係合部及び係合部を近接させたときに該被係合部及び係合部が互いに係合する位置に配置されるように構成されていることが好ましい。
【００１３】
前記面取り面は、前記係合部の係合爪の非係合面と平行になっていることが好ましい。
【００１４】
前記被係合部は、前記装着部に対して傾斜することができるように遊びを持って設けられていることが好ましい。
【００１５】
前記被係合部は、その外面の前記被保持部側かつ光源部側に凸部を有し、該凸部が前記被係合部が前記装着部から脱落しないように前記装着部に設けられた段差に係合していることが好ましい。
【発明の効果】
【００１６】
本発明によれば、係合部及び保持部のパッケージに連なる部分が斜面となっており、パッケージとの接合面積が大きくなるので係合部及び保持部の強度が高まると共に、係合部及び保持部が他の部材と干渉し難くなるので照明装置の全厚を薄くすることができる。
【図面の簡単な説明】
【００１７】
【図１】本発明の実施形態に係る照明装置を装着部側から見たときの分解斜視図。
【図２】上記照明装置を光源部側から見たときの分解斜視図。
【図３】上記照明装置を装着部側から見た斜視図。
【図４】図３のＩ−Ｉ線断面図。
【図５】上記光源部を装着部に対して回動させた状態における照明装置の側面図。
【図６】図４の点線で囲まれた領域の拡大図。
【図７】上記照明装置を構成する被係合部と係合部との係合状態を示す側断面図。
【図８】上記装着部に組み込まれた被係合部の斜視図。
【図９】（ａ）（ｂ）は上記装着部内における被係合部のスライド動作を示す図８のＩ−Ｉ線断面図。
【図１０】上記被係合部を光源部側から見た斜視図。
【図１１】上記被係合部を装着部側から見た部分断面斜視図。
【図１２】上記被係合部の装着部への組み込みを示す分解斜視図。
【図１３】上記装着部に組み込まれた被係合部の側断面図。
【図１４】（ａ）は上記光源部の面取り面を装着部の装着面に当接させた状態における被係合部と係合部との係合状態を示す側断面図、（ｂ）は（ａ）の状態から光源部を被係合部方向に押し込んだ状態を示す図。
【図１５】（ａ）は上記光源部を被係合部方向に押し込んだ状態で光源部を装着部方向に回動させたときの装着部と光源部との係合状態を示す側断面図、（ｂ）は（ａ）の状態から光源部を被保持部方向にスライドさせたときの状態を示す図。
【図１６】（ａ）は上記光源部を被係合部方向に押し込まずに装着部方向に回動させたときの被保持部と保持部との接触を示す側断面図、（ｂ）は（ａ）の状態から保持部が被係合部方向にスライドしている様子を示す図。
【図１７】従来の照明装置の側断面図。
【発明を実施するための形態】
【００１８】
本発明の実施形態に係る照明装置について、図１乃至図５を参照して説明する。照明装置１は、天井や壁に取り付けられハウジングを有する装着部２と、装着部２に着脱可能に装着される光源部３と、を備える。装着部２は、光照射面側から見て矩形状とされ、光源部３が装着される装着面２Ａに被係合部２１及び被保持部２２を備える。被係合部２１は矩形の一の辺の中央近傍（一端部）に設けられ、被保持部２２は前記一の辺に対向する辺の中央近傍（他端部）に設けられる。光源部３は、光照射面側から見て矩形状とされ、平板状の発光パネルと、この発光パネルを収容するパッケージ３０と、を備える。パッケージ３０は、装着部２側の面に係合部３１及び保持部３２を有する。係合部３１及び保持部３２は、共に装着部２方向に突設され、互いに対向する面３１ａ、３２ａが光源部３の中心方向に向かって傾斜する斜面として構成されている。これにより、係合部３１及び保持部３２とパッケージ３０との接合面積が大きくなる。また、同じ接合面積を持つ従来の係合部材と比べて、係合部３１及び保持部３２が占めるスペースが少ないので、照明装置１内部の有効スペースが増える。係合部３１は被係合部２１と係合し、保持部３２は被保持部２２と係合する。これら係合部材が係合することで、光源部３は装着部２に着脱可能に装着される。また、光源部３は、係合部３１を装着部２の被係合部２１に係合させた状態で、装着部２に対して回動可能となっている（図５参照）。
【００１９】
装着部２は、ネジ孔２３に挿通されたネジ２４により天井や壁に取り付けられる。装着部２は、光源部３の点灯を制御する回路基板２５と、回路基板２５から導出された端子受部２６と、を備える。端子受部２６には、パッケージ３０の装着部２側に突出した端子部３３が差し込まれる。これにより、装着部２と光源部３とが電気的に接続される。
【００２０】
光源部３は、端子部３３と電気的に接続された発光パネルを有する。発光パネルは、有機ＥＬ素子より構成される。有機ＥＬ素子は、例えば、発光面側から順に透光性基板、透明導電膜から成る正電極、発光性有機材料を含む発光層、そして光反射性を有する負電極を積層したものより成る。
【００２１】
パッケージ３０は、発光パネルの発光面を覆うカバー３０ａと、発光パネルの非発光面を覆うケース３０ｂと、を有する。カバー３０ａは、透明な矩形平板状部材により構成される。ケース３０ｂは、一面が開口した箱形形状とされ、その開口部にカバー３０ａが装着される。ケース３０ｂは、例えば、ＡＢＳ樹脂、アクリル樹脂、ポリスチレン樹脂等のプラスチック材料や表面に絶縁処理が施されたアルミニウム等の金属材料より構成される。ケース３０ｂは、係合部３１近傍の装着部２側の端部及び保持部３２近傍の装着部２側の端部が斜めに面取りされることで形成された面取り面３４を有する。面取り面３４の斜度は、係合部３１側の面取り面３４を介して光源部３と装着部２の装着面２Ａとを当接させ、その状態のまま光源部３を被係合部２１方向に移動させたときに、被係合部２１と係合部３１とが互いに係合する位置に配置されるように設定されている。また、ケース３０ｂは、係合部３１及び保持部３２の近傍に複数のスペーサ３５を有する。スペーサ３５は、光源部３を装着部２に装着したときに、光源部３と装着部２との間隔を規定する。
【００２２】
図６に示すように、被保持部２２は被係合部２１方向に伸びる保持爪２２ａを有し、保持部３２はこの保持爪２２ａと係合する保持爪３２ｂを有する。被係合部２１及び被保持部２２を通る側断面（図６参照）において、被保持部２２の保持爪先端２２ｂは、保持部３２との係合に関わる係合面２２ｃの基端２２ｄよりも光源部３側に位置する。また、この保持爪先端２２ｂは、係合面２２ｃとは反対側の非係合面２２ｅの基端２２ｆよりも装着部２側に位置する。同様に、保持部３２の保持爪先端３２ｃは、被保持部２２との係合に関わる係合面３２ｄの基端３２ｅよりも装着部２側に位置し、かつ非係合面３２ｆの基端３２ｇよりも光源部３側に位置する。
【００２３】
図７に示すように、被係合部２１は被保持部２２方向に伸びる係合爪２１ａを有し、係合部３１はこの係合爪２１ａと係合する係合爪３１ｂを有する。被係合部２１及び被保持部２２を通る側断面（図７参照）において、被係合部２１の係合爪先端２１ｂは、係合部３１との係合に関わる係合面２１ｃの基端２１ｄよりも光源部２側に位置する。また、係合部３１の係合爪先端３１ｃは、被係合部２１との係合に関わる係合面３１ｄの基端３１ｅよりも装着部２側に位置する。更に、係合部３１の非係合面３１ｆは、係合部３１側の面取り面３４と平行に構成されている。
【００２４】
図８、図９に示すように、被係合部２１（ドットで示す）は、バネ４により被保持部２２方向に弾性付勢され、スライド自在な状態で装着部２に設けられる。図９（ａ）は被係合部２１が最も被保持部２２に近づいた状態を示し、図９（ｂ）は被係合部２１が最も被保持部２２から離れた状態を示す。なお、図９（ａ）（ｂ）ではバネの図示を省略している。
【００２５】
被係合部２１は、図１０、図１１に示すように、上述の係合爪２１ａに加えて、係合爪２１ａの両脇に設けられた溝部２１ｅを有する。溝部２１ｅは、係合爪２１ａが連なる方向に直交する方向に伸びる溝を有し、この溝にバネ４が収容される。被係合部２１は、更に、溝部２１ｅの被保持部２２側の外面の光源部３側に設けられた凸部２１ｆと、溝部２１ｅの外面から係合爪２１ａが連なる方向に突出した突起部２１ｇと、を有する。凸部２１ｆは、装着部２に設けられた段差２７に係合することで装着部２からの被係合部２１の脱落を防止する（図９（ａ）参照）。突起部２１ｇは、後述のように、装着部２による被係合部２１の保持に関わる。
【００２６】
被係合部２１は、図１２に示すように、装着部２の天井や壁に取り付けられる面（取付面）側から装着部２に導入され、突起部２１ｇが装着部２に設けられた支持部２８に載置された状態で装着部２に保持される。被係合部２１の溝部２１ｅには、バネ４の一端が挿入され、バネ４の他端は装着部２に設けられた弾性体支持部２９に係止される。被係合部２１の取付面側には、補強板５が設けられる。補強板５は、被係合部２１の取付面側からの脱落を防止する。これにより、被係合部２１は、図１３に示すように、突起部２１ｇが装着部２の支持部２８と補強板５との間に挟まれた状態で装着部２に保持される。このとき、被係合部２１は、支持部２８（装着部２）に対して傾くことができるように遊びを持って設けられる（傾いた状態の突起部２１ｇを点線で示す）。
【００２７】
次に、光源部３を装着部２に装着する一連の動作について、上述の図５に加えて、図１４乃至図１６を参照して説明する。まず、図５に示すように、光源部３の係合部３１側の面取り面３４を装着部２の装着面２Ａに当接させた状態で、光源部３を被係合部２１方向に移動させる。これにより、図１４（ａ）に示すように、被係合部２１及び係合部３１が互いに係合する位置に配置される。このとき、係合部３１の非係合面３１ｆが面取り面３４と平行に設けられているので、例えば、図１４（ａ）において点線で示す構造の係合部３１を用いる場合に比べて、係合部３１を収容するために装着部２に必要とされる領域（逃がし）が小さくなる。その後、図１４（ｂ）に示すように、バネ４の弾性力に逆らって、光源部３を被係合部２１方向に押し込む。次いで、この光源部３を押し込んだ状態のまま、光源部３の保持部３２側の端部を装着部２方向に回動させて、光源部３と装着部２とを密着させる。このとき、図１５（ａ）に示すように、被保持部２２及び保持部３２は、光源部３が被係合部２１方向にスライドしているので互いに係合しない。この状態から、光源部３の被係合部２１方向への押し込みを解除すると、図１５（ｂ）に示すように、光源部３が被保持部２２方向に移動して、被保持部２２と保持部３２とが係合する。以上の動作により、被係合部２１と係合部３１そして被保持部２２と保持部３２がそれぞれ係合し、光源部３が装着部２に装着される。
【００２８】
また、上記よりも簡便な動作で光源部３を装着部２に装着するには、図５の状態から光源部３を被係合部２１方向に押し込むことなく装着部２方向に回動させる。この場合、図１６（ａ）に示すように、被保持部２２と保持部３２とが互いの非係合面２２ｅ、３２ｆを介して接触する。ここで、これら非係合面２２ｅ、３２ｆは、保持部３２が被保持部２２と係合する方向に被保持部２２の非係合面２２ｅ上を滑ることができるように傾斜している。そのため、保持部３２は、図１６（ｂ）に示すように、被保持部２２と接触した後、被保持部２２の非係合面２２ｅ上を滑り、被保持部２２の保持爪先端２２ｂを超えた時点で被保持部２２に係合する。このように、被保持部２２及び保持部３２の非係合面２２ｅ、３２ｆの傾斜を利用して、回動動作の力を被係合部２１方向に光源部３をスライドさせる力に変換することで光源部３を装着部２に装着してもよい。
【００２９】
一方、光源部３を装着部２から取り外すには、上記段落００２７に記載の動作を逆に行う。すなわち、まず、光源部３を被係合部２１方向にスライドさせて被保持部２２と保持部３２との係合を外し、次いで、光源部３の保持部３２側の端部を装着部２から離れる方向に回動させた後、係合部３１を被係合部２１から取り外す。ここで、被係合部２１及び係合部３１の係合面２１ｃ、３１ｄは、被係合部２１と係合部３１との係合が外れ易いように傾斜している（図７参照）。また、被係合部２１は、遊びを持って装着部２に設けられているので、係合部３１が外れ易い方向に傾く。そのため、係合部３１は容易に被係合部２１から外れる。
【００３０】
上述のように、光源部３を装着部２から取り外すには、まず、光源部３を被係合部２１方向にスライドさせてから、光源部３を回動させる。しかしながら、場合によっては、光源部３をスライドさせる手順を忘れ、いきなり光源部３を回動させてしまうことがあり得る。ここで、被保持部２２及び保持部３２の係合面２２ｃ、３２ｄは、被保持部２２に係合した保持部３２が被保持部２２から外れる方向に被保持部２２の係合面２２ｃ上を滑ることができるように傾斜している（図６参照）。従って、誤動作等によりいきなり被保持部２２と保持部３２との係合を外そうとした場合であっても、保持部３２は、被保持部２２の係合面２２ｃ上を滑り、速やかに被保持部２２から外れる。
【００３１】
また、光源部３を装着部２から取り外す際に、光源部３は、保持部３２が被保持部２２から外れた時点でバネ４の弾性力により被保持部２２方向にスライドする。このとき、図４に示したように、係合部３１近傍のスペーサ３５がネジ２４のネジ頭と干渉するようにしておけば、スペーサ３５がネジ２４のネジ頭に乗り上げて光源部３が装着部２から浮き上がる。これにより、光源部３と装着部２との間に指を入れる空間ができるので光源部３の取り外し作業が容易となる。
【００３２】
以上のように、本実施形態の照明装置１によれば、係合部３１及び保持部３２のパッケージ３０に連なる部分が斜面になっているので、パッケージ３０との接合面積が大きくなって係合部３１及び保持部３２の強度が高くなる。また、照明装置１内部の有効スペースが増えるので、従来装置と比べて、部材間の干渉が少なくなって装置全厚を薄くしたり、より多くの部材を照明装置１に設けることが可能となる。このような有効スペースは、係合部３１及び保持部３２の互いに対向する面３１ａ、３２ａが斜面になっているので、照明装置１の中央領域に形成される。
【００３３】
また、被保持部２２と保持部３２とを互いの非係合面２２ｅ、３２ｆを介して当接させた場合に、これら非係合面２２ｅ、３２ｆが被保持部２２と保持部３２との係合が円滑に起こるように傾斜しているので、光源部３の装着部２への装着が容易となる。
【００３４】
また、互いに係合した被保持部２２と保持部３２に誤動作等によって無理な過重が印可された場合に、その係合が速やかに外れるようにそれぞれの係合面２２ｃ、３２ｄが傾斜しているので、被保持部２２及び保持部３２の破損を防止することができる。
【００３５】
また、光源部３を装着部２から取り外す作業の際に、被係合部２１と係合部３１との係合が外れ易いように被係合部２１及び係合部３１の係合面２１ｃ、３１ｄが傾斜しているので、取り外し作業が容易となる。また、被係合部２１が装着部２に遊びを持って設けられているので、係合部３１が被係合部２１から外れ易くなり、更に、被係合部２１に無理な力がかかり難くなるので被係合部２１の破損や装着部２から脱落を防止することができる。
【００３６】
また、ケース３０ｂに面取り面３４が設けられているので、この面取り面３４と装着部２の装着面２Ａとを当接させるだけで、被係合部２１と係合部３１とを互いに係合する位置に配置することができる。これにより、光源部３の装着部２への装着が容易となる。
【００３７】
また、係合部３１の非係合面３１ｆがケース３０ｂの係合部３１近傍の面取り面３４と平行に設けられているので、装着部２の薄型化が可能となり、照明装置１の全厚を薄くすることができる。
【００３８】
更に、被係合部２１に凸部２１ｆが設けられているので、製造工程における装着部２の組み立てに際して、補強板５を組み込む前であっても被係合部２１が装着部２から脱落し難くなる。これにより、照明装置１の組み立て効率が向上する。
【００３９】
なお、本発明に係る照明装置は、上記実施形態に限定されず、種々の変形が可能である。例えば、光源部を構成する発光体は、有機ＥＬ素子に限定されず、無機ＥＬ素子やＬＥＤ（Light emitting diode）等の固体発光素子より構成されてもよい。また、被保持部及び保持部の保持爪は、本実施形態においては両方とも傾斜した非係合面を有するが、どちらか一方の保持爪だけがこのような非係合面を有する構成とされてもよい。同様に、被保持部及び保持部の保持爪のどちらか一方だけが傾斜した係合面を有する構成とされてもよいし、被係合部及び係合部の係合爪のどちらか一方だけが傾斜した係合面を有する構成とされてもよい。
【符号の説明】
【００４０】
１  照明装置
２  装着部
２Ａ  装着面
２１  被係合部
２１ａ  被係合部の係合爪
２１ｂ  被係合部の係合爪先端
２１ｃ  被係合部の係合爪の係合面
２１ｄ  被係合部の係合爪の係合面の基端
２１ｆ  被係合部の凸部
２２  被保持部
２２ａ  被保持部の保持爪
２２ｂ  被保持部の保持爪先端
２２ｃ  被保持部の保持爪の係合面
２２ｄ  被保持部の保持爪の係合面の基端
２２ｅ  被保持部の保持爪の非係合面
２２ｆ  被保持部の保持爪の非係合面の基端
２７  装着部に設けられた段差
３  光源部
３０  パッケージ
３１  係合部
３１ａ  係合部の保持部と対向する面
３１ｂ  係合部の係合爪
３１ｃ  係合部の係合爪先端
３１ｄ  係合部の係合爪の係合面
３１ｅ  係合部の係合爪の係合面の基端
３１ｆ  係合部の係合爪の非係合面
３２  保持部
３２ａ  保持部の係合部と対向する面
３２ｂ  保持部の保持爪
３２ｃ  保持部の保持爪先端
３２ｄ  保持部の保持爪の係合面
３２ｅ  保持部の保持爪の係合面の基端
３２ｆ  保持部の保持爪の非係合面
３２ｇ  保持部の保持爪の非係合面の基端
３４  面取り面
【図１】
0005884027.tif 000002
【図２】
0005884027.tif 000003
【図３】
0005884027.tif 000004
【図４】
0005884027.tif 000005
【図５】
0005884027.tif 000006
【図６】
0005884027.tif 000007
【図７】
0005884027.tif 000008
【図８】
0005884027.tif 000009
【図９】
0005884027.tif 000010
【図１０】
0005884027.tif 000011
【図１１】
0005884027.tif 000012
【図１２】
0005884027.tif 000013
【図１３】
0005884027.tif 000014
【図１４】
0005884027.tif 000015
【図１５】
0005884027.tif 000016
【図１６】
0005884027.tif 000017
【図１７】
0005884027.tif 000018